(57)【特許請求の範囲】
【請求項１】
−靴底（５）の相対する側縁に延びる側部エッジ（２８，２９）からなる凹部（７）に配置固定された板状のクリート（４）と、
−ペダル本体（１）に配設されて前記クリートをペダル本体に固定する固定手段（３，６）と、の組み合わせからなり、
前記ペダル本体の固定手段が、クリート（４）の前後にそれぞれ配置されたメス形状と協働するように形成されたオス形状を各々有する前方固定係合部材（３）および後方可動係合部材（６）からなる、サイクリストの靴を自転車のペダルに自動的に固定する装置であって、
後方可動係合部材（６）が２つの固定された突起部材（２２，２３）の間に配置されており、該突起部材（２２，２３）には、後方への後退を制限する受け面（２４，２５）が形成されると共に、靴の横方向の回転によって靴底（５）の前記凹部（７）の側部エッジ（２８、２９）が乗り上げてカムとして作用し靴を横方向に解放させるための傾斜面（２６，２７）が形成されていることを特徴とする自動固定装置。
【請求項２】
前記ペダル本体(１)の突起部材（２２，２３）が、後方可動係合部材（６）と同じ高さを有することを特徴とする請求項１に記載の自動固定装置。
【請求項３】
後方可動係合部材（６）の、２つの突起部材（２２，２３）に対してそれぞれ対向する側に、それぞれわずかな遊びが設けられていることを特徴とする請求項１または２に記載の自動固定装置。
【請求項４】
傾斜面（２６，２７）の傾斜角度がほぼ４５度であることを特徴とする請求項１〜３のいずれかに記載の自動固定装置。
【請求項５】
各突起部材（２２，２３）の受け面（２４，２５）が後方に向かって傾斜していることを特徴とする請求項１〜４のいずれかに記載の自動固定装置。
【請求項６】
受け面の傾斜角度がほぼ３度であることを特徴とする請求項５に記載の自動固定装置。
【請求項７】
弾性手段（１２）の機能に抗してペダル本体（１）の長手方向にクリート（４）の自由な移動を許容し得る遊びを有する状態で、クリート（４）が前方および後方係合部材（３，６）の間に保持されており、靴を上方に揺動させるときに靴が不用意に後方へ解放するのを防止するように、クリート（４）の長手方向に自由に移動する長さをクリートの前方係合手段と係合する部分の長さよりも小さくしたことを特徴とする請求項１から６のいずれかに記載の自動固定装置。
【請求項８】
−靴底（５）の相対する側縁に延びる側部エッジ（２８，２９）からなる凹部（７）に配置固定された板状のクリート（４）と、
−ペダル本体（１）に配設されて前記クリートをペダル本体に固定する固定手段（３，６）と、の組み合わせからなり、
前記ペダルに対する固定手段が、クリート（４）の前後に配置されてメス形状と協働するように形成されたオス形状をそれぞれ有する前方固定係合部材（３）および後方可動係合部材（６）からなる、サイクリストの靴を自転車のペダルに自動的に固定する固定装置を備えた自転車ペダルであって、
後方可動係合部材（６）が２つの固定された突起部材（２２，２３）の間に配置されており、該突起部材（２２，２３）には、後方への後退を制限する受け面（２４，２５）が形成されると共に、靴の横方向の回転によって靴底（５）の前記凹部（７）の側部エッジ（２８、２９）が乗り上げてカムとして作用し靴を横方向に解放させるための傾斜面（２６，２７）が形成されていることを特徴とする自転車ペダル。
【請求項９】
固定装置が請求項２〜６の少なくとも１つに記載されたものであることを特徴とする請求項８に記載の自転車ペダル。
【発明の詳細な説明】
【０００１】
【発明の属する技術分野】
本発明は、自転車ペダル用の、特に、限定されることなく、（オフロード用など）すべての分野の自転車ペダル用の自動固定装置に関する。また、本発明は、このような自動固定装置を備えたペダルにも関する。
【０００２】
【従来の技術】
この種の自動自転車ペダルは、公知であり、前方固定部材と後方係合オス部材とにより構成されており、前方固定部材は、自転車のサイクリストの靴底の凹部に一般に配設される板状のクリートに形成された係止部材のオス端と係合される接合点を形成する爪によって構成され、後方係合オス部材は、固定部材の後方メス端に係合する可動爪によって構成されている。
【０００３】
この種の公知のペダルでは、クリートの前方のオス端の形状は、ペダルの前方係合部材のメス端の形状に受けられるように成形されている。
【０００４】
後方の爪は、軸回りに回動可能に取付けられると共に、弾性手段によって係合位置に向かって付勢されており、２つの爪の間にクリートの挿入を許容する位置と自動ペダルを有するクリートを固定するための閉じた係合位置との間で、サイクリストの靴の圧力を受けて移動可能となっている。
【０００５】
弾性手段は、一般に、ヘリカルスプリングによって構成されており、２つの爪の間で係合した状態からクリートを解放すべく開いた位置に向かって、そのスプリングの機能に抗して後方の爪を強制的に移動させることができるように構成されている。この後方の爪の移動は、クリートの後方端の、靴が外側に回転したときに爪を後方へ押圧するようなカムを形成するメス形状の傾斜側壁によってもたらされる。さらに、例えばサイクリストの落車など、靴が内側に回転したときには、同様に、爪が開いた位置に移動する。スプリングのばね定数は、一般に調整ねじを調整することにより、靴の解放に必要な力に加減することができる。
【０００６】
本出願人によるフランス特許出願番号第９９．０９１４号には、特にすべての分野の自転車のための自動ペダルが開示されている。この自動ペダルは、その両面が保持面となっている。
【０００７】
このペダルにおいては、係止要素を係合するための後方可動部材は、ペダル本体に隣接して弾性部材を固定するように構成されており、係止要素を解放する傾いた位置と、係止要素をペダル本体の表面に保持する位置との間で撓むように働く。この弾性要素（手段）のばね定数は、その弾性要素の撓み線の上方縁を形成するプレートを動かすことにより調整することができる。
【０００８】
クリートが使用される状態では、前記係合要素の前後が自動ペダルの前後のオス係合部材の間で挟まれるのに適したメス形状を有する端部となっている。
【０００９】
【発明が解決しようとする課題】
しかしながら、クリートが靴底の凹部またはくぼみに配置されるタイプのペダルでは、サイクリストが足を外側に回転させることによって解放し始める場合であろうと、サイクリストが片足を内側に回転または内側に移動させることにより解放を失敗した場合であろうと、靴を解放するのに幾つかの問題がある。このようなペダルの解放の失敗は、実際問題として、すべての分野のサイクリストに頻繁に発生している。
【００１０】
また、従来のペダルでは、靴を係合するときにサイクリストに要求される力を低減させて、爪の間にクリートの確実な係合を容易に行えるようにする必要もあった。
【００１１】
本発明の目的は、上述した従来のペダルの既知の問題を解決するためになされたもので、係合要素の間に効果的なやり方でクリートを確実の保持させることによって、ペダルに対してクリートを容易に係合すること許容すると共に、靴の係合・解放に必要な力を低減することができる固定装置を提供することにある。
【００１２】
【課題を解決するための手段】
この目的のために、本発明は、特にすべての分野の自転車のペダルに靴を自動的に固定するための、以下の構成からなる装置を有している。すなわち、固定装置は、
−靴底の相対する側縁に延びる側部エッジからなる凹部に配置固定された板状のクリート（４）と、
−ペダル本体（１）に配設されて前記クリートをペダル本体に固定する固定手段（３，６）と、の組み合わせからなり、
前記ペダル本体の固定手段が、クリートの前後にそれぞれ配置されたメス形状と協働するように形成されたオス形状を各々有する前方固定係合部材および後方可動係合部材からなる、サイクリストの靴を自転車のペダルに自動的に固定する装置であって、
後方可動係合部材（６）が２つの固定された突起部材（２２，２３）の間に配置されており、該突起部材（２２，２３）には、後方への後退を制限する受け面（２４，２５）が形成されると共に、靴の横方向の回転によって靴底（５）の前記凹部（７）の側部エッジ（２８、２９）が乗り上げてカムとして作用し靴を横方向に解放させるための傾斜面（２６，２７）が形成されていることを特徴としている。
【００１３】
また、本発明は、この他に、
−前記ペダル本体の突起部材が、後方可動係合部材と同じ高さを有し、
−後方可動係合部材が、２つの突起部材に対してそれぞれわずかに移動する本体の相対向する側縁を有し、
−後方可動係合部材の、２つの突起部材に対してそれぞれ対向する側に、それぞれわずかな遊びが設けられており、
−傾斜面の傾斜角度がほぼ４５度であり、
−各突起部材の受け面が後方に向かって傾斜する受け面を有し、
−受け面の傾斜角度がほぼ３度であり、
−弾性手段（１２）の機能に抗してペダル本体の長手方向にクリートの自由な移動を許容し得る遊びを有する状態で、クリートが前方および後方係合部材の間に保持されており、靴を上方に揺動させるときに靴が不用意に後方へ解放するのを防止するように、クリートの長手方向に自由に移動する長さをクリートの前方係合手段と係合する部分の長さよりも小さくしたことを特徴としている。
【００１４】
本発明の別の目的は、上述した発明の固定装置を備えたペダルを提供することにある。
【００１５】
【発明の実施の形態】
本発明によるペダルの複数の実施形態を、限定的ではなく例として、添付図面に即して詳しく説明する。
【００１６】
図１と図３から５は、本発明による固定装置を備えたペダルを示したものである。このペダルは、好ましくは合成樹脂素材からなるペダル本体１が、ベアリング（図示していない）を介してペダル軸２に配設されて、ペダルを漕ぐときに回転が許容されるよう構成されている。ペダル軸２は、ねじによってペダルクランク(図示していない)に接続されている。
【００１７】
ペダル本体１は、板状に形成されサイクリストの靴（図示していない）の底５に固定されたクリート４に係合する前方固定部材３と、クリート４を係合するための後方可動部材６とを備えている。靴底５には、所謂ベアリング表面がその靴底から突出するように所定数形成されている。クリート４は、２つのベアリング表面８と９の間の凹部７に固定されている。
【００１８】
図には、クリート４を両方の保持面１０、１１で保持するタイプのペダルの例が示されている。ペダルは、２つの保持平面の一方に設けられた前方固定部材３と、他方の保持平面に設けられた後方可動部材６とをそれぞれ構成する２つの向かい合う要素が備えられている。
【００１９】
各要素１２は、ペダル本体１の全厚さよりも長く延ばされてその反対側側縁から突出する弾性金属素材によって構成されている。この要素１２の端部には、２つの保持平面で所謂係合部材を構成するように内側に向けたフックが形成されている。
【００２０】
各ブレード１２は、ペダル本体１に嵌めこまれ、そのブレードの外側に配置されたプレート１３によりペダル本体１に保持されている。プレート１３に形成されたスロットおよびブレード１２に形成された穴に挿通されたねじ手段１４を、ペダル本体１にはめ込まれたナットに締結することによって、プレート１３がペダル本体１に固定されている。
【００２１】
ねじの頭部は、プレート３の外側に形成された溝内に配置されている。
【００２２】
プレート１３を垂直方向に移動させてブレード１２のレバーアームの長さを変化させさせることにより、その硬さを調整することができる。
【００２３】
本発明では、固定装置はさらに、後方可動係合部材６の両側に配置された２つの突起部材２２、２３を備えている。これら２つの突起部材は、後方係合部材６が突き出ないように実際には後方係合部材の高さに盛り上がった部材となるような高さを有している。このように構成することにより、後方の爪６の不用意な係合が防止される。
【００２４】
同じ目的のために、後方係合部材６と２つの固定された突起部材２２、２３との間の各遊びは、それぞれ比較的小さくされている。
【００２５】
各突起部材２２、２３には、それぞれ後方への後退を制限する受け面２４、２５が構成されている。この受け面は、垂直面に対して所定の角度βで形成されていることが望ましい(図３)。この角度βは、おおよそ３度とすると、靴を係合するときに爪３，６の間にクリート４を配置することが容易となる。
【００２６】
各突起部材２２、２３はさらに、クリート４が配置される凹部７の範囲を定める側部エッジ２８、２９とそれぞれ協働する側方の傾斜面２６、２７を備えている。傾斜面２６、２７の傾斜角度αは、おおよそ４５度となっている。
【００２７】
図５は、爪の間にクリートが固定されたペダリング位置にある状態を示したもので、ベアリング表面８、９がペダル本体１の上表面に支持されている。このとき、ベアリング表面８、９はそれぞれ、図５に示されているように突起部材と接触し、あるいは、突起部材と近接している。
【００２８】
図６は、靴が外側に回転されてクリート４が爪３，６との係合から解放された最終段階を示したものである。この作動自体は、よく知られていることであるため、ここでは詳述しない。しかしながら、図６において、ベアリング表面８の内側に形成されるエッジ２８が、常に突起部材８の傾斜面２６と接触して、解放するときにこの傾斜面に乗り上げてカムとして作用し、靴底の対応する部分を上方に移動させることによって解放動作が容易となることは注目することができる。
【００２９】
さらに、クリート４は前後の係合部材の間に遊びを持って保持されており、ペダル本体１の長手方向にクリートが自由に移動することを許容されている。靴を上方に揺動させるときに靴が不用意に解放するのを防止するために、長手方向に自由に移動する値（長さ）は、クリートの前方係合手段と係合する部分の長さよりも小さいことが望ましい。
【００３０】
このように、本発明の固定装置は、ペダルにクリート４を容易に係合および解放することを許容すると共に、靴の係合および解放に要する力を低減させ、しかも、クリートを係合部材の間に効果的な方法で確実に保持することは、明らかである。
【００３１】
本発明はまた、上述の本発明に従った固定装置を備えたすべてのペダルにも関連している。
【００３２】
本発明の範囲を逸脱しない限り、他の実施の形態が可能である。例えば、本発明は、単一の保持表面のペダルにも容易に適用することができる。
【図面の簡単な説明】
【図１】本発明の固定装置を備えた右側のペダルの平面図である。
【図２】２つのベアリング表面の間の凹部にクリートが配置されたサイクリストの靴底の底面図である。
【図３】本発明による固定された突起部材と、その後退することのない支持表面の側面図である。
【図４】ペダルの軸に沿った中央縦断面図である。
【図５】靴がペダリング位置にある状態を示した、ペダルを後方から見た図である。
【図６】靴が外側に回転移動することによって解放された状態を示した、ペダルを後方から見た図である。
【符号の説明】
１  ペダル本体
３  前方固定係合部材（固定手段）
４  クリート
５  靴底
６  後方可動係合部材（固定手段）
７  凹部
１２  弾性手段
２２、２３  突起部材
２４、２５  受け面
２６、２７  傾斜面
２８、２９  側部エッジ
【図１】
0004752990.tif 000002
【図２】
0004752990.tif 000003
【図３】
0004752990.tif 000004
【図４】
0004752990.tif 000005
【図５】
0004752990.tif 000006
【図６】
0004752990.tif 000007